(57)【特許請求の範囲】
【請求項１】
内部で調理物を加熱する加熱庫と、前記加熱庫に前方に引き出し自在に収納され、前記調理物を載置する載置部と、前記加熱庫の両側方に配置され、前記載置部を出し入れ方向となる前後方向に案内する左右一対のスライドレールとを備えた引き出し式加熱調理器であって、
前記スライドレールは、前記加熱庫に固定されている固定メンバーと、前記固定メンバーに対して前後方向に移動自在に取り付けられ、前記載置部を保持する移動メンバーとを備え、
前記固定メンバーは、鉛直方向一方側の面に、後方の端部で鉛直方向他方側に傾斜するレール部を有し、
前記移動メンバーは、収納状態で前記レール部の傾斜部分に対応する鉛直方向一方側に、前記移動メンバーを引き込むように後方に移動させる引き込み機構を有し、
前記引き込み機構は、前記移動メンバーから鉛直方向一方側に延設されている延設部と、前記延設部から前記固定メンバー側に延びる第１軸部と、前記第１軸部に回動自在に軸支されているアーム部と、前記アーム部の先端部から左右方向に延びる第２軸部と、前記第２軸部に回転自在に軸支され、前記レール部の鉛直方向一方側に位置するローラと、前記ローラが前記レール部に圧接するように付勢する付勢部材とを備え、
前記付勢部材は、前記延設部から前記固定メンバー側に延びる前記第１軸部に巻き付けられたコイルバネであり、
前記アーム部は、前記第１軸部に接続される端部が前記第２軸部に接続される端部よりも前記固定メンバー側に位置するように、屈曲又は傾斜していることを特徴とする引き出し式加熱調理器。
【請求項２】
請求項１記載の引き出し式加熱調理器であって、
前記コイルバネの一端は、前記延設部に係止され、前記コイルバネの他端は、前記アーム部に係止され、
前記延設部の後方の端部には、前記コイルバネの一端が係止される係止部が形成されていることを特徴とする引き出し式加熱調理器。
【請求項３】
請求項１又は請求項２記載の引き出し式加熱調理器であって、
前記ローラの径方向の中央部の軸線方向の長さは、外周部の軸線方向の長さよりも短いことを特徴とする引き出し式加熱調理器。
【請求項４】
請求項１〜３のいずれか１項記載の引き出し式加熱調理器であって、
前記ローラと前記レール部とは、線接触していることを特徴とする引き出し式加熱調理器。
【請求項５】
請求項１〜４のいずれか１項記載の引き出し式加熱調理器であって、
前記ローラの外周面は、前記移動メンバー側に向かって縮径するように形成されていることを特徴とする引き出し式加熱調理器。
【請求項６】
請求項１〜４のいずれか１項記載の引き出し式加熱調理器であって、
前記第２軸部は、前記固定メンバー側ほど鉛直方向他方側に向かって傾斜していることを特徴とする引き出し式加熱調理器。
【請求項７】
請求項１〜６のいずれか１項記載の引き出し式加熱調理器であって、
前記延設部は、収納状態で、前記固定メンバーの後方の端部よりも後方に位置するように形成され、
前記ローラは、収納状態で、前記固定メンバーの後方に位置し、且つ、前記固定メンバーの鉛直方向の高さの範囲内に位置していることを特徴とする引き出し式加熱調理器。
【請求項８】
請求項１〜７のいずれか１項記載の引き出し式加熱調理器であって、
前記レール部の傾斜部分は、引き込み機構の引き込み動作が開始する前の時点で前記アーム部が水平となり、引き込み動作が完了した後の時点で前記アーム部が垂直となるように、傾斜していることを特徴とする引き出し式加熱調理器。
【請求項９】
請求項１〜８のいずれか１項記載の引き出し式加熱調理器であって、
前記レール部の傾斜部分は、鉛直方向一方側に凸となる曲線形状であることを特徴とする引き出し式加熱調理器。
【請求項１０】
請求項１〜９のいずれか１項記載の引き出し式加熱調理器であって、
前記引き込み機構は、前記移動メンバーが最も引き出された状態で、前記加熱庫の前面よりも後方に位置していることを特徴とする引き出し式加熱調理器。
【請求項１１】
請求項１〜１０のいずれか１項記載の引き出し式加熱調理器であって、
前記加熱庫を収容する筐体と、前記筐体内で前記加熱庫の下方の横方向外側に位置し、前記スライドレールの前記固定メンバーが固定される左右一対の取付板とを備え、
前記スライドレールは、前記筐体の側壁と前記取付板との間に配置され、
前記加熱庫の横方向の幅は、前記取付板の側方の位置では、前記取付板によって規定され、前記取付板よりも上方の位置では、前記筐体の側壁によって規定されていることを特徴とする引き出し式加熱調理器。
【発明の詳細な説明】
【技術分野】
【０００１】
本発明は、加熱庫の両側方に配置された左右一対のスライドレールを備えた引き出し式加熱調理器に関する。
【背景技術】
【０００２】
従来、内部で調理物を加熱する加熱庫と、加熱庫に前方に引き出し自在に収納され、前面の扉の裏側に連結された載置部（例えば、調理物を載置する受け皿や焼き網等）と、加熱庫の両側方に配置され、載置部を出し入れ方向となる前後方向に移動自在に案内する左右一対のスライドレールとを備えた引き出し式加熱調理器がある。
【０００３】
この種の引き出し式加熱調理器に用いられているスライドレールとしては、加熱庫等を内蔵する筐体に対して固定されている固定メンバーと、固定メンバーに対して前後方向に移動自在に取り付けられ、載置部等の保持対象を保持する移動メンバーとを備えたものが知られている（例えば、特許文献１参照）。
【０００４】
特許文献１に記載のスライドレールでは、移動メンバーが収納位置近傍に位置している際には、引き込み機構によって、移動メンバーが収納位置まで引き込まれるように構成されている。これにより、保持対象の収納が不完全な状態になってしまうことや、地震等の外部からの影響によって意図せず保持対象が筐体から飛び出してしまうことを防止している。
【先行技術文献】
【特許文献】
【０００５】
【特許文献１】特開２０１１−２２４２８９号公報
【発明の概要】
【発明が解決しようとする課題】
【０００６】
ところで、引き出し式加熱調理器では、加熱庫内のスペースをできるだけ大きくしたいという要望がある。しかし、特許文献１に記載のような従来のスライドレールは引き込み機構が、加熱庫の左右方向にあたる移動メンバーの側方に設けられている。そのため、従来のスライドレールを引き出し式加熱調理器に適用した場合には、引き込み機構を配置するためのスペースの分だけ、加熱庫内のスペースが左右方向において狭くなってしまうという問題があった。
【０００７】
本発明は以上の点に鑑みてなされたものであり、引き込み機構を有し、加熱庫内のスペースを十分に確保することができるスライドレールを備えた引き出し式加熱調理器を提供することを目的とする。
【課題を解決するための手段】
【０００８】
上記目的を達成するために、本発明の引き出し式加熱調理器は、内部で調理物を加熱する加熱庫と、前記加熱庫に前方に引き出し自在に収納され、前記調理物を載置する載置部と、前記加熱庫の両側方に配置され、前記載置部を出し入れ方向となる前後方向に案内する左右一対のスライドレールとを備えた引き出し式加熱調理器であって、前記スライドレールは、前記加熱庫に固定されている固定メンバーと、前記固定メンバーに対して前後方向に移動自在に取り付けられ、前記載置部を保持する移動メンバーとを備え、前記固定メンバーは、鉛直方向一方側の面に、後方の端部で鉛直方向他方側に傾斜するレール部を有し、前記移動メンバーは、収納状態で前記レール部の傾斜部分に対応する鉛直方向一方側に、前記移動メンバーを引き込むように後方に移動させる引き込み機構を有し、前記引き込み機構は、前記移動メンバーから鉛直方向一方側に延設されている延設部と、前記延設部から前記固定メンバー側に延びる第１軸部と、前記第１軸部に回動自在に軸支されているアーム部と、前記アーム部の先端部から左右方向に延びる第２軸部と、前記第２軸部に回転自在に軸支され、前記レール部の鉛直方向一方側に位置するローラと、前記ローラが前記レール部に圧接するように付勢する付勢部材とを備え、前記付勢部材は、前記延設部から前記固定メンバー側に延びる前記第１軸部に巻き付けられたコイルバネであり、前記アーム部は、前記第１軸部に接続される端部が前記第２軸部に接続される端部よりも前記固定メンバー側に位置するように、屈曲又は傾斜していることを特徴とする。
【０００９】
本発明によれば、前記引き込み機構が、移動メンバーの鉛直方向一方側（上方又は下方の何れか一方側）に配設されている。これにより、スライドレールの左右方向に引き込み機構を設けるためのスペースを確保する必要がなく、引き込み機構を設けても、スライドレールの左右方向に十分なスペースを確保することができる。よって、例えば、加熱庫を広く確保することができて有利である。
【００１１】
また、付勢部材の付勢力によってローラがレール部に圧接されているので、移動メンバーが収納位置近傍に位置した際（すなわち、ローラがレール部の傾斜している部分に位置した際）には、ローラがレール部の傾斜に沿って滑るように後方に移動する。これにより、引き込み機構が設けられている移動メンバーは、収納位置まで移動させられる。
【００１２】
したがって、本発明の引き出し式加熱調理器によれば、レール部及び引き込み機構によって、移動メンバーに保持されている載置部の収納が不完全な状態になってしまうことや、地震等の外部からの影響によって意図せず載置部が加熱庫から飛び出してしまうことが防止される。
【００１３】
また、このように付勢部材として第１軸部に巻き付けたコイルバネを用いれば、付勢部材を配置するためのスペースを別途設ける必要がなく、さらに省スペース化を図ることができる。
【００１５】
ところで、付勢部材のバネ定数を低減させると、引き出し始めにおいて必要となる荷重が軽減され、レール部とローラとの摺動抵抗も低減される。これにより、スライドレールの操作感（すなわち、引き出し式加熱調理器の載置部を出し入れする際の操作感）の向上を図ることができる。そして、付勢部材として第１軸部に巻き付けたコイルバネを用いる場合、バネ定数を低減させるためには、コイルバネの巻き数を増加させればよい。
【００１６】
しかし、コイルバネの巻き数を増加させるためには、コイルバネの巻き付けられている第１軸部を長くしなければならない。第１軸部が長くなると、第１軸部に接続されているアーム部の第１軸部から離れた側の端部（すなわち、その端部に接続されている第２軸部）に対し、コイルバネによって荷重が加えられた際に発生するモーメントが大きくなる。
【００１７】
その結果として、第２軸部に軸支されているローラからレール部に対して意図しない負荷が加わり、逆にスライドレールの操作感を悪化させてしまったり、レール部の耐久性を低下させてしまったりするおそれがある。
【００１８】
そこで、アーム部の第１軸部に接続される端部が第２軸部に接続される端部よりも固定メンバー側に位置するように、アーム部を湾曲又は屈曲させた構成とすれば、第１軸部を長くしつつ、アーム部の第２軸部に接続される端部に加わるモーメントの増加を抑えることができる。その結果、レール部の耐久性を損なうことなく、また、コイルバネからの荷重によるモーメントに阻害されることなく、スライドレールの操作感の向上を図ることができる。
【００１９】
また、本発明の引き出し式加熱調理器においては、付勢部材がコイルバネである場合には、前記コイルバネの一端は、前記延設部に係止され、前記コイルバネの他端は、前記アーム部に係止され、前記延設部の後方の端部には、前記コイルバネの一端が係止される係止部が形成されていることが好ましい。このように構成すれば、コイルバネを容易に組み付けることができる。
【００２０】
また、本発明の引き出し式加熱調理器においては、前記ローラの径方向の中央部の軸線方向の長さは、外周部の軸線方向の長さよりも短いことが好ましい。
【００２１】
このように構成すれば、ローラが軸線方向に大きく移動しても、ローラがレール部から脱輪することが防止できる。また、ローラの内周面とローラを軸支する第２軸部の外周面との間の摩擦を低減して、操作感の悪化や、ローラやレール部の耐久性低下を防止することができる。
【００２２】
また、本発明の引き出し式加熱調理器においては、前記ローラと前記レール部とは、線接触していることが好ましい。
【００２３】
ローラとレール部との接触面積が小さすぎるとローラが空回りしてしまうおそれがある。一方、接触面積が大きすぎるとローラとレール部との間で大きな摩擦が生じ、ローラやレール部の耐久性が低下してしまうおそれがある。そこで、ローラとレール部とが線接触するように構成すれば、ローラとレール部との間の摩擦が適度な大きさとなるので、ローラの空回りやローラやレール部の耐久性の低下を防止することができる。
【００２４】
また、本発明の引き出し式加熱調理器においては、前記ローラの外周面は、前記移動メンバー側に向かって縮径するように形成されていることが好ましい。
【００２５】
引き込み機構を鉛直方向一方側に設けた場合、引き込み機構を介して、移動メンバーの鉛直方向一方側の部分と固定メンバーの鉛直方向一方側の部分との間に、相互に離れる方向の力が加わってしまうおそれがある。そこで、固定メンバーに接するローラの外周面を移動メンバー側に向かって縮径するように形成すれば、ローラから固定メンバーに対して移動メンバーに近づく方向の力が加わるので、離れる方向の力を低減することができる。
【００２６】
また、本発明の引き出し式加熱調理器においては、前記第２軸部は、前記固定メンバー側ほど鉛直方向他方側に向かって傾斜していることが好ましい。
【００２７】
引き込み機構を鉛直方向一方側に設けた場合、引き込み機構を介して、移動メンバーの鉛直方向一方側の部分と固定メンバーの鉛直方向一方側の部分との間に、相互に離れる方向の力が加わってしまうおそれがある。そこで、第２軸部は、固定メンバー側ほど鉛直方向他方側に向かって傾斜するように構成すれば、ローラから固定メンバーに対して移動メンバーに近づく方向の力が加わるので、離れる方向の力を低減することができる。
【００２８】
また、本発明の引き出し式加熱調理器においては、前記延設部は、収納状態で、前記固定メンバーの後方の端部よりも後方に位置するように形成され、前記ローラは、収納状態で、前記固定メンバーの後方に位置し、且つ、前記固定メンバーの鉛直方向の高さの範囲内に位置していることが好ましい。このように構成すれば、ローラを固定メンバーの後方に収納可能となるので、さらに省スペース化を図ることができる。
【００２９】
また、本発明の引き出し式加熱調理器においては、前記レール部の傾斜部分は、引き込み機構の引き込み動作が開始する前の時点で前記アーム部が水平となり、引き込み動作が完了した後の時点で前記アーム部が垂直となるように、傾斜していることが好ましい。
【００３０】
このようにレール部を形成すれば、アーム部を収納するためのスペースを抑えることができるようになる。また、引き込み動作時におけるアーム部の移動距離に対する姿勢の変化の度合いが大きくなるので、それに伴って引き込む力も大きくなり、操作性をさらに向上させるとともに、引き込みが途中で停止してしまうことを防止することができるようになる。
【００３１】
また、本発明の引き出し式加熱調理器においては、前記レール部の傾斜部分は、鉛直方向一方側に凸となる曲線形状であることが好ましい。
【００３２】
レール部の傾斜部分が直線的又は鉛直方向一方側に凹となる曲線形状である場合、傾斜部分と傾斜していない部分との境界において、引き出すために必要な力が急激に変化するので、安定した操作感が得られないおそれがあった。そこで、レール部の傾斜部分を、鉛直方向一方側に凸となる曲線形状にすれば、引き出すために必要な力が緩やかに変化するようになるので、安定した操作感を得ることができるようになる。
【００３３】
また、本発明の引き出し式加熱調理器においては、前記引き込み機構は、前記移動メンバーが最も引き出された状態で、前記加熱庫の前面よりも後方に位置していることが好ましい。このように構成すれば、複雑な構造の引き込み機構が使用者の目に触れることがなくなるので、引き込み機構を設けたことによって美観が損なわれることがなくなる。
【００３４】
また、本発明の引き出し式加熱調理器においては、前記加熱庫を収容する筐体と、前記筐体内で前記加熱庫の下方の横方向外側に位置し、前記スライドレールの前記固定メンバーが固定される左右一対の取付板とを備え、前記スライドレールは、前記筐体の側壁と前記取付板との間に配置され、前記加熱庫の横方向の幅は、前記取付板の側方の位置では、前記取付板によって規定され、前記取付板よりも上方の位置では、前記筐体の側壁によって規定されていることが好ましい。
【００３５】
このように構成すれば、スライドレールよりも上方における加熱庫内のスペースを広くすることができるようになる。
【図面の簡単な説明】
【００３６】
【図１】本発明の実施形態に係るグリルを備えたコンロの斜視図。
【図２】実施形態に係るグリルの斜視図。
【図３】図２のグリルの構成を模式的に示す横方向断面図。
【図４】図２のグリルの構成を模式的に示す縦方向断面図。
【図５】図２のグリルの左右の下部を拡大して示す背面図。
【図６】図２のグリルの移動メンバー及び皿支持枠の連結部分を示す斜視図。
【図７】図６のＶＩＩ−ＶＩＩ線で切断したグリル扉連結状態の切断側面図。
【図８】図２のグリルが備えるスライドレールの斜視図であり、図８Ａは収納状態を示す図であり、図８Ｂは引き出し状態を示す図。
【図９】図８のスライドレールのＶＩＩＩ−ＶＩＩＩ線断面図。
【図１０】図８のスライドレールの収納状態における引き込み機構を示す図であり、図１０Ａは後方内側からの斜視図、図１０Ｂは背面図。
【図１１】図８のスライドレールの引き出し途中の状態における引き込み機構を示す図であり、図１１Ａは後方内側からの斜視図、図１１Ｂは平面図。
【図１２】本発明に係る引き込み機構の、引き出し時においてローラからレール部に加えられる負荷の説明図であり、図１２Ａ及び図１２Ｂは第１の参考例に係るスライドレールの引き込み機構の平面図及び背面図、図１２Ｃ及び図１２Ｄは第１の第２の参考例に係るスライドレールの引き込み機構の平面図及び背面図、図１２Ｅ及び図１２Ｆは図８のスライドレールの引き込み機構の平面図及び背面図。
【図１３】図８のスライドレールの引き出し動作及び引き込み動作を行う際に必要となる荷重を示すグラフ。
【図１４】図８のスライドレールの引き込み機構のローラ部の形状を示す断面図。
【図１５】本発明に係る引き込み機構のローラの形状を示す説明図であり、図１５Ａは図８のスライドレールの引き込み機構の背面図、図１５Ｂは第１の変形例に係るスライドレールの引き込み機構の背面図、図１５Ｃは第２の変形例に係るスライドレールの引き込み機構の背面図、図１５Ｄは第３の変形例に係るスライドレールの引き込み機構の背面図。
【発明を実施するための形態】
【００３７】
以下、図面を参照して、実施形態に係る引き出し式加熱調理器であるグリルを備えたコンロについて説明する。
【００３８】
なお、本発明の引き出し式加熱調理器としては、以下に説明するような、コンロに用いられ、加熱庫としてグリル庫を設けたグリルに限定されるものではなく、調理物を加熱する加熱庫を備えたものであればよい。例えば、加熱水蒸気による加熱調理を行う加熱庫を備えたものでもよい。また、例えば、バーナを備えず、グリル機能だけを備えたものであってもよい。また、ガス調理器の他、電気調理器であってもよい。
【００３９】
まず、図１〜図７を参照して、実施形態に係るグリル４を備えたコンロＳの概略構成について説明する。
【００４０】
図１に示すように、コンロＳは、システムキッチンのカウンタトップ（不図示）に組み込むビルトイン式コンロである。コンロＳは、カウンタトップに開設した開口に落とし込むようにして設置するコンロ本体１と、コンロ本体１の上面を覆うようにしてカウンタトップに載置する天板２とを備えている。
【００４１】
コンロ本体１には、天板２上に露出して、前側の２個と後側の１個の計３個のコンロバーナ３が設けられている。また、コンロ本体１には、グリル４が内蔵されている。コンロ本体１の前面部分には、グリル扉５と、グリル扉５の左右に設けられた２つの前面パネル６とが設けられている。
【００４２】
グリル扉５は、グリル４の前面開口を開閉する。グリル扉５の前面下部には、グリル扉５を開閉するための取手５ａが取り付けられている。グリル扉５の両側の各前面パネル６の後方には、コンロバーナ３及びグリル４を操作するための操作盤７が出没自在に収納されている。操作盤７が収納されている状態では、操作盤７の前板７ａは、前面パネル６とともに平面を形成する。
【００４３】
図２に示すように、グリル４は、コンロ本体１内に設置されるグリル庫４ａを備えている。グリル庫４ａの後部には排気ダクト４ｂが取り付けられている。
【００４４】
図３の横方向断面図及び図４の縦方向断面図に示すように、グリル庫４ａ内には、グリル皿４ｃと、グリル皿４ｃに載置された焼き網４ｄと、グリル皿４ｃを支持する皿支持枠４ｅとが収納されている。皿支持枠４ｅは、グリル扉５の裏側に連結されている。焼き網４ｄは、その前後に垂設された脚片部４ｄ１を介してグリル皿４ｃに載置されている。
【００４５】
皿支持枠４ｅは、棒材を平面視略方形に折り曲げて形成した枠体４ｅ１と、枠体４ｅ１の前端部に取り付けられ、グリル皿４ｃの前端の第１フランジ４ｃ１を支持する前支持板４ｅ２と、枠体４ｅ１の後方の端部に取り付けられ、グリル皿４ｃの後端の第２フランジ４ｃ２を支持する後支持板４ｅ３とで構成されている。
【００４６】
グリル庫４ａの天井部には、上火バーナ４ｆが装着されている。グリル庫４ａの天井部の上方には、上火バーナ４ｆを覆うようにして遮熱カバー４ａ１が設けられている。グリル庫４ａの横方向両側の側壁部には、グリル皿４ｃと焼き網４ｄとの間となる位置に、横方向内方に凹入する第１凹入部４ａ２が形成されている。
【００４７】
第１凹入部４ａ２内には、第１凹入部４ａ２の横方向内側面に設けた窓部４ａ３に臨むように、下火バーナ４ｇが配置されている。
【００４８】
グリル４の一方の側方には、上火バーナ４ｆに接続される第１混合管４ｆ１、及び、下火バーナ４ｇに接続される第２混合管４ｇ１が設けられている。グリル４では、上火バーナ４ｆと下火バーナ４ｇとによって、焼き網４ｄ上の調理物を上下から焼成する両面焼きグリルが構成されている。
【００４９】
グリル庫４ａの下方には、グリル庫４ａの底壁部との間に空隙を存して遮熱板４ｈが設置されている。遮熱板４ｈの横方向両側部には、グリル庫４ａの横方向外側に位置する部分を上方に屈曲させることによって、取付板４ｈ１が形成されている。取付板４ｈ１の横方向外方を向く面には、スライドレール８の固定メンバー８０が取り付けられている。
【００５０】
固定メンバー８０には、複数の第１ボール８１を介して、中間メンバー８２が前後方向に移動自在に係合している。中間メンバー８２には、複数の第２ボール８３を介して、移動メンバー８４が前後方向に移動自在に係合している。すなわち、移動メンバー８４は、中間メンバー８２を介して固定メンバー８０に前後方向に移動自在に支持されている。
【００５１】
移動メンバー８４には、固定メンバー８０及び移動メンバー８４を覆うカバー部材８５が取り付けられている。カバー部材８５は、移動メンバー８４及び固定メンバー８０を上方から覆う上板部８５ａと、固定メンバー８０に対向する側板部８５ｂとを有している。
【００５２】
図４に示すように、グリル庫４ａの横方向両外側の一対のスライドレール８の移動メンバー８４は、レール連結枠９を介して、前端で互いに連結されている（図６参照。）。レール連結枠９には、皿支持枠４ｅの前端部が係止されている。また、レール連結枠９には、グリル扉５が着脱自在に連結されている。また、グリル庫４ａの底壁部には、皿支持枠４ｅの枠体４ｅ１の左右各側の側辺部を滑動自在に支持する前後複数の支持部４ｉが形成されている。
【００５３】
そのため、グリル扉５の前面下部の取手５ａに指を掛けて手前に引いたり後方に押したりすることにより、移動メンバー８４が中間メンバー８２を介して固定メンバー８０に案内されて前後動し、これに連動して皿支持枠４ｅも前後動して、皿支持枠４ｅに支持されるグリル皿４ｃがグリル庫４ａにスムーズに出し入れされる。
【００５４】
図５に示すように、スライドレール８は、グリル４のグリル庫４ａを収容する筐体４ｊ（図３及び図４では不図示）の側壁４ｊ１と、グリル庫４ａの下方の遮熱板４ｈを屈曲させて形成した取付板４ｈ１との間の領域に配置されている。
【００５５】
グリル庫４ａの横方向の幅は、取付板４ｈ１の側方の位置では、一対の取付板４ｈ１の間に収容される幅Ｗ１となっている（すなわち、取付板４ｈ１によって幅が規定されている）。また、取付板４ｈ１よりも上方の位置では、グリル４のグリル庫４ａを収容する筐体４ｊの側壁４ｊ１同士の間に収容される幅Ｗ２となっている（すなわち、側壁４ｊ１によって幅が規定されている）。
【００５６】
そのため、グリル４では、筐体４ｊの内部に左右一対のスライドレール８を備えた構成でありながら、グリル庫４ａ内の左右方向の広さが十分なものとなっている。また、筐体４ｊの側壁４ｊ１と取付板４ｈ１とグリル庫４ａの下面とによって区画された空間は十分な広さを有しているので、その空間内に配置されたスライドレール８の移動メンバー８４や後述する引き込み機構８６は、引き込み動作時に、側壁４ｊ１やグリル庫４ａに干渉することがない。
【００５７】
なお、グリル庫４ａの幅を規定する側壁としては、上記のように、グリル庫４ａを収容する筐体４ｊの側壁４ｊ１の他、コンロ本体１の側壁を用いてもよい。
【００５８】
図６及び図７に示すように、レール連結枠９の上縁には、グリル扉５の背面に形成した扉側係合孔５ｂに係合する左右一対の爪部９ａが形成されている。下縁中央部には、グリル扉５の背面下部に取り付けた板バネ部材５ｃ（図４参照）を係合させる凹欠部９ｂが形成されている。中央部には、板バネ部材５ｃをグリル扉５に締結するビス５ｄの頭部に対応するようにして、逃げ孔９ｃが形成されている。逃げ孔９ｃの両側には、皿支持枠４ｅ用の左右一対の枠側係合孔９ｄが形成されている。
【００５９】
グリル扉５は、グリル扉５の背面の扉側係合孔５ｂに爪部９ａを係合させた状態で、板バネ部材５ｃを凹欠部９ｂに係合させることにより、レール連結枠９に着脱自在に連結される。
【００６０】
皿支持枠４ｅの前支持板４ｅ２の前端には左右一対の爪片４ｅ４が突設されている。その爪片４ｅ４をレール連結枠９の枠側係合孔９ｄに挿入係止することで、レール連結枠９に皿支持枠４ｅが連結される。
【００６１】
グリル扉５の背面には、レール連結枠９にグリル扉５を連結した状態で枠側係合孔９ｄに挿入される突起状の抜止部５ｅが設けられている。抜止部５ｅは、爪片４ｅ４に干渉することにより、爪片４ｅ４が浮き上がって枠側係合孔９ｄから抜け出ることを防止している。
【００６２】
次に、図８〜図１５を参照して、グリル４が備えるスライドレール８について詳細に説明する。
【００６３】
図８に示すように、スライドレール８は、グリル庫４ａ（加熱庫）に固定される固定メンバー８０と、固定メンバー８０に対して前後方向に移動自在に取り付けられ、皿支持枠４ｅ（載置部）を保持する移動メンバー８４とを備えている。
【００６４】
固定メンバー８０の移動メンバー８４側とは反対側の側面には、係止爪８０ａが形成されている。固定メンバー８０は、グリル庫４ａ（加熱庫）の下方の遮熱板４ｈの横方向両側部の取付板４ｈ１に係止爪８０ａを係止させることにより、グリル４に対し固定される（図３参照）。
【００６５】
また、固定メンバー８０の上方側（鉛直方向一方側）には、レール部８０ｂが形成されている。レール部８０ｂの後方の端部は、下方側（鉛直方向他方側）に向かって傾斜している。具体的には、その傾斜部分は、上方側に凸となる曲線形状となっている。これは、後述するように、移動メンバー８４を移動させる際に必要となる荷重を緩やかに変化させるためである。
【００６６】
なお、レール部８０ｂの傾斜部分の形状は、後述する引き込み機構８６が設けられている側とは反対側に向かって傾斜している形状であれば良く、上方側に凸となる曲線形状以外の形状であってもよい。そして、レール部８０ｂの傾斜部分の形状は、例えば、収納スペースの大きさや引き込み機構８６の形状に応じて、適宜変更してもよい。
【００６７】
移動メンバー８４は、固定メンバー８０に対して、中間メンバー８２を介して前後方向に移動自在に取り付けられている。具体的には、図９に示すように、中間メンバー８２が、複数の第１ボール８１を介して、固定メンバー８０の横方向外側に前後方向に移動自在に係合しており、移動メンバー８４が、複数の第２ボール８３を介して、中間メンバー８２の横方向外側に前後方向に移動自在に係合している。
【００６８】
なお、グリル４では、スライドレール８として、固定メンバー８０、中間メンバー８２及び移動メンバー８４の３つの部材からなるスライドレールを採用している。これは、そのような３つの部材からなるスライドレールは、収納状態における長さに対する引き出し距離が長く、収納スペースの省スペース化を図り易いためである。
【００６９】
しかし、本発明の引き出し式加熱調理器はそのような構成に限定されるものではなく、固定メンバーとそれに対して前後方向に移動自在な移動メンバーを備えるものであればよい。そのため、例えば、中間メンバーを省略し、固定メンバー及び移動メンバーの２つの部材からなるスライドレールを採用してもよい。
【００７０】
また、図８に示すように、移動メンバー８４の前端部には、横方向内側に向かって延設された固定部８４ａが設けられている。固定部８４ａには、レール連結枠９が固定される。これにより、移動メンバー８４は、レール連結枠９を介して、皿支持枠４ｅ（載置部）を保持する（図３及び図６参照）。
【００７１】
また、移動メンバー８４の、収納状態で固定メンバー８０のレール部８０ｂの傾斜部分に対応する位置には、移動メンバー８４を引き込むように後方に移動させるための引き込み機構８６が設けられている。
【００７２】
なお、グリル４では、引き込み機構８６を収納状態で固定メンバー８０及び移動メンバー８４の後方に位置させるために、移動メンバー８４の後方の端部に設けている。しかし、本発明の引き出し式加熱調理器の引き込み機構はそのような構成に限定されるものではなく、レール部の傾斜部分に対応する位置に設けられていればよい。例えば、レール部の中央部に傾斜部分が設けられている場合には、それに対応して、移動メンバーの中央部分に引き込み機構を設ければよい。
【００７３】
図８Ｂに示すように、引き込み機構８６は、移動メンバー８４が最も引き出された状態で、グリル庫４ａの前面（図８Ｂにおいて二点鎖線で示す線）よりも後方に位置する。そのため、複雑な構造の引き込み機構が使用者の目に触れることがなく、引き込み機構８６を設けたことによって、美観が損なわれることがない。
【００７４】
図１０及び図１１に示すように、引き込み機構８６は、移動メンバー８４から上方に延設されている延設部８６ａと、延設部８６ａから固定メンバー８０側に延びる第１軸部８６ｂと、第１軸部８６ｂに回動自在に軸支され、引き出し時に後方に回動するアーム部８６ｃと、アーム部８６ｃの先端部から固定メンバー８０側に延びる第２軸部８６ｄと、第２軸部８６ｄに回転自在に軸支され、レール部８０ｂの上方側に位置するローラ８６ｅと、ローラ８６ｅがレール部８０ｂに圧接するようにアーム部８６ｃを付勢するコイルバネ８６ｆ（付勢部材）とを有している。
【００７５】
図１０に示すように、延設部８６ａは、収納状態で、固定メンバー８０の後方の端部よりも後方に位置するように形成されている。また、ローラ８６ｅは、収納状態で、固定メンバー８０の後方、且つ、固定メンバー８０の鉛直方向の高さの範囲内に位置している。これにより、収納状態においては、ローラ８６ｅは、固定メンバー８０の後方に収納された状態になる。
【００７６】
なお、本発明の引き出し式加熱調理器では、収納状態において、必ずしも固定メンバーの後方にローラが収納された状態となるように構成する必要はなく、収納スペース（例えば、スライドレールを覆うカバー部材の形状）に応じて、収納状態におけるアーム部の位置を適宜変更してもよい。例えば、ローラがレール部の傾斜している部分に接した状態で収納されるようにしてもよい。
【００７７】
また、レール部８０ｂの傾斜部分（引き込み機構８６による引き込み動作が生じる部分にローラ８６ｅが位置する部分）は、図１１Ａに示すように、引き込み動作が開始する前の時点でアーム部８６ｃが水平となり、図１０Ａに示すように、引き込み動作が完了した後の時点でアーム部８６ｃが垂直となるように傾斜している。
【００７８】
レール部８０ｂがこのように傾斜しているので、アーム部８６ｃを収納するためのスペースは、小さく抑えられている。また、引き込み動作時におけるアーム部８６ｃの移動距離に対する姿勢の変化の度合いも大きくなっているので、それに伴って引き込む力も大きくなっている。
【００７９】
コイルバネ８６ｆは、延設部８６ａから固定メンバー８０側に延びる第１軸部８６ｂに巻き付けられている。コイルバネ８６ｆの一端は、延設部８６ａに設けられた第１係止部８６ｇに係止されている。コイルバネ８６ｆの他端は、アーム部８６ｃに設けられた第２係止部８６ｈに係止されている。
【００８０】
引き込み機構８６では、付勢部材としてこのように設置されたコイルバネ８６ｆを用いているので、スライドレール８をグリル４に設置する際に、付勢部材を配置するためのスペースを別途設ける必要がない。また、コイルバネ８６ｆの端部を係止させるための第１係止部８６ｇは、延設部８６ａの後方の端部に設けられている。そのため、コイルバネ８６ｆは、容易に組み付けられるようになっている。
【００８１】
なお、本発明の引き出し式加熱調理器の付勢部材としては、ローラ８６ｅをレール部８０ｂに圧接させるように付勢するものであればよく、上記のようなコイルバネ８６ｆに限定されるものではない。例えば、ゴム等の弾性体や磁石等を用いて付勢部材を構成してもよい。また、付勢する位置もアーム部ではなく、第２軸部等であってもよい。
【００８２】
上記の構成を備えるグリル４では、付勢部材であるコイルバネ８６ｆの付勢力によってローラ８６ｅがレール部８０ｂに圧接されているので、移動メンバー８４が収納位置近傍に位置した際（すなわち、ローラ８６ｅがレール部８０ｂの傾斜している部分に位置した際）には、ローラ８６ｅがレール部８０ｂの傾斜に沿って滑るように後方に移動する。これにより、引き込み機構８６が設けられている移動メンバー８４は、収納位置まで移動させられる。
【００８３】
また、上記の構成を備えるグリル４では、引き込み機構８６全体が、固定メンバー８０及び移動メンバー８４の上方側に位置している。そのため、引き込み機構８６を配置しても、グリル庫４ａ内のスペースが左右方向において狭くなってしまうことがなく、十分なスペースを確保することができる。
【００８４】
したがって、グリル４では、レール部８０ｂ及び引き込み機構８６によって、移動メンバー８４に保持されている皿支持枠４ｅ（ひいては、グリル皿４ｃ）の収納が不完全な状態になってしまうことや、地震等の外部からの影響によって意図せず皿支持枠４ｅがグリル庫４ａから飛び出してしまうことが防止される。また、引き込み機構８６を設けても、グリル庫４ａ内のスペースが狭くなってしまうこともない。
【００８５】
なお、グリル４では、引き込み機構８６をスライドレール８の上方側に位置するように設けているが、下方側に位置するように設けてもよい。また、左右方向外側に位置するように設けてもよい。
【００８６】
ところで、上記の引き込み機構８６では、付勢部材であるコイルバネ８６ｆのバネ定数を低減させると、引き出し始めにおいて必要となる荷重が軽減され、レール部８０ｂとローラ８６ｅとの摺動抵抗も低減される。これにより、スライドレール８の操作感（ひいては、グリル庫４ａから皿支持枠４ｅを出し入れする際の操作感）の向上を図ることができる。
【００８７】
コイルバネ８６ｆのバネ定数を低減させるためには、その巻き数を増加させればよい。しかし、コイルバネ８６ｆの巻き数を増加させるためには、コイルバネ８６ｆの巻き付けられている第１軸部８６ｂを長くしなければならない。
【００８８】
第１軸部８６ｂが長くなると、第１軸部８６ｂに接続されているアーム部８６ｃの第１軸部８６ｂから離れた側の端部（すなわち、その端部に接続されている第２軸部８６ｄ）に対し、コイルバネ８６ｆによって荷重が加えられた際に発生するモーメントが大きくなる。
【００８９】
その結果として、第２軸部８６ｄに軸支されているローラ８６ｅからレール部８０ｂに対して意図しない負荷が加わり、逆に操作感を悪化させてしまったり、レール部８０ｂの耐久性を低下させてしまったりするおそれがある。
【００９０】
例えば、図１２Ａ及び図１２Ｂに示す第１の参考例に係る引き込み機構８６１のように、延設部８６ａから延びる第１軸部８６１ｂが短く形成されている場合、第１軸部８６１ｂに接続されているアーム部８６１ｃの第１軸部８６１ｂから離れた側の端部（すなわち、その端部に設けられている第２軸部８６ｄ及び第２軸部に８６ｄに軸支されているローラ８６ｅ）に対し、コイルバネ８６１ｆによって荷重が加えられた際に発生するモーメント（Ｍ１）は、それほど大きなものとはならない。
【００９１】
しかし、引き込み機構８６１では第１軸部８６１ｂが短いので、第１軸部８６１ｂに巻き付けられているコイルバネ８６１ｆの巻き数が少なく、コイルバネ８６１ｆのバネ定数が高くなっている。その結果、引き込み機構８６１では、引き出し始めにおいて必要となる荷重が大きく、レール部８０ｂとローラ８６ｅとの摺動抵抗も大きい。
【００９２】
引き込み機構８６１で発生し得るこのような問題を解消するための方法としては、図１２Ｃ及び図１２Ｄに示す第２の参考例に係る引き込み機構８６２のように、延設部８６ａから延びる第１軸部８６２ｂを長くするという方法が考えられる。
【００９３】
このように構成した場合には、コイルバネ８６２ｆの巻き数を十分な巻き数とすることができるので、引き出し始めにおいて必要となる荷重が軽減され、レール部８０ｂとローラ８６ｅとの摺動抵抗も十分に低減される。
【００９４】
しかし、第１軸部８６２ｂが長くなったことに伴い、第１軸部８６２ｂに接続されているアーム部８６２ｃの第１軸部８６２ｂから離れた側の端部（すなわち、その端部に接続されている第２軸部８６ｄ）に対し、コイルバネ８６ｆによって荷重が加えられた際に発生するモーメント（Ｍ２）が、第１軸部が短い場合のモーメント（Ｍ１）よりも大きくなる。
【００９５】
そこで、図１２Ｅ及び図１２Ｆに示すように、グリル４のスライドレール８の引き込み機構８６では、アーム部８６ｃの第１軸部８６ｂに接続される端部が第２軸部８６ｄに接続される端部よりも固定メンバー８０側に位置するように、アーム部８６ｃを屈曲させている。具体的には、アーム部８６ｃを、中間部で移動メンバー８４側に屈曲させるとともに、その屈曲位置よりも後方の位置で再度後方に向かって屈曲させている。
【００９６】
これにより、第１軸部８６ｂを長くしつつ（すなわち、コイルバネ８６ｆの巻き数を増加させつつ）、アーム部８６ｃの第２軸部８６ｄに接続される端部に加わるモーメント（Ｍ３）を抑えることができる。
【００９７】
また、スライドレール８では、固定メンバー８０のレール部８０ｂの後方の端部に設けた傾斜部分の形状を、上方に凸となる曲線形状としている、これにより、移動メンバー８４を移動させる際に必要となる力が、レール部８０ｂの傾斜部分と平坦な部分との間で、緩やかに変化するようになっている。
【００９８】
その結果、図１３のグラフに示すように、本実施形態の引き込み機構８６では、引き出し時においても、引き込み時においても、引き出しに必要な荷重が安定したものとなる。すなわち、引き込み機構８６では、レール部８０ｂの耐久性を損なうことなく、また、コイルバネ８６ｆからの荷重によるモーメントに阻害されることなく、操作感が向上している。
【００９９】
具体的には、図１３に一点鎖線で示したように、一般的な引き込み機構を備えているスライドレールでは、ストローク量が所定の値を超えた際に、操作のために必要な荷重が急激に低下する。そのため、使用者に違和感を与えたり、レールが勢いよく引き込まれて衝撃音が生じたりしてしまうという問題がある。
【０１００】
これに対し、図１３に実線及び破線で示したように、本実施形態の引き込み機構８６を備えているスライドレール８や先行技術文献に記載のような構成の引き込み機構を備えているスライドレールは、引き込み機構が傾斜する端部を有するレール部とローラとで構成されているので、操作のために必要な荷重が緩やかに変化する。そのため、使用者に違和感を与えることがなく、レールが勢いよく引き込まれて衝撃音が生じたりしてしまうことがない。
【０１０１】
さらに、本実施形態の引き込み機構８６では、アーム部８６ｃを屈曲させ、レール部８０ｂの後方の傾斜部分の形状を上方に凸となる曲線形状としているので、先行技術文献に記載のような構成の引き込み機構よりも、さらに、操作のために必要な荷重の変化が緩やかなものになっている。また、引き込み時に必要な荷重と引き出し時に必要な荷重の差も、先行技術文献に記載のような構成の引き込み機構のものよりも小さくなっている。
【０１０２】
なお、引き込み機構８６では、アーム部８６ｃの第１軸部８６ｂに接続される端部の位置を変更するために、アーム部８６ｃを屈曲させている。しかし、アーム部８６ｃを湾曲させることにより、端部の位置を変更してもよい。
【０１０３】
また、付勢部材であるコイルバネ８６ｆの材質を変更すること等により、少ない巻き数で十分に低減されたバネ定数を得ることができる場合には、第１の参考例のように、第１軸部を短くするだけでも、操作感の向上を図ることができる。
【０１０４】
また、ローラ８６ｅの材質を柔らかくする等によって、コイルバネ８６ｆによって発生するモーメントによる影響を低減することができる場合には、第２の参考例のように、アーム部を屈曲又は湾曲させずに、第１軸部を長くするだけでも、操作感の向上を図ることができる。
【０１０５】
ところで、図１４に示すように、上記の引き込み機構８６では、第２軸部８６ｄは、軸８６ｄ１とヘッド８６ｄ２とで構成されている。そして、ローラ８６ｅは、その第２軸部８６ｄによって回転自在に軸支されている。
【０１０６】
このような構成を備えるローラ８６ｅでは、一般に、ローラ８６ｅの回転を阻害しないように、ローラ８６ｅの端面とヘッド８６ｄ２との間にガタが設けられている。しかし、このガタが大きすぎると、引き込み機構８６を構成する他の部材のクリアランスと合わさって、ローラ８６ｅが軸線方向に大きく移動して、レール部８０ｂから脱輪してしまうおそれがある。
【０１０７】
また、ローラ８６ｅを軸支する軸８６ｄ１の長さが短すぎる場合、ローラ８６ｅの内周径と軸８６ｄ１の外径とのクリアランスにより、ローラ８６ｅの傾きが大きくなり、レール部８０ｂへの押し付け力が不安定になるおそれがある。逆に、軸８６ｄ１の長さが長すぎる場合、ローラ８６ｅの内周面と軸８６ｄ１の外周面との間に摩擦が生じてしまい、ローラ８６ｅの回転が阻害されてしまうおそれがある。
【０１０８】
そして、いずれの場合においても、操作感の悪化、ローラ８６ｅやレール部８０ｂの耐久性が低下してしまうおそれが生じることになる。
【０１０９】
そこで、引き込み機構８６では、ローラ８６ｅの径方向の中央部８６ｅ１を窪ませることにより、中央部８６ｅ１の軸線方向の長さを外周部の軸線方向の長さよりも短くしている。これにより、ローラ８６ｅが軸線方向に大きく移動しても、ローラ８６ｅがレール部８０ｂから脱輪することが防止される。また、ローラ８６ｅの内周面と軸８６ｄ１の外周面との間の摩擦を低減することができる。
【０１１０】
また、引き込み機構８６では、ローラ８６ｅとレール部８０ｂとの接触面積が小さすぎるとローラ８６ｅが空回りしてしまうおそれがある。一方、接触面積が大きすぎるとローラ８６ｅとレール部８０ｂとの間で大きな摩擦が生じ、ローラ８６ｅやレール部８０ｂの耐久性が低下してしまうおそれがある。
【０１１１】
そこで、図１０及び図１１に示すように、引き込み機構８６では、ローラ８６ｅの形状をレール部８０ｂの形状に対応する鼓状とする（具体的には、周面部８６ｅ２を軸線方向中央に向かって縮径する形状とする）ことによって、ローラ８６ｅとレール部８０ｂとが線接触するように構成している。これにより、ローラ８６ｅとレール部８０ｂとの間の摩擦を適度な大きさとして、ローラ８６ｅの空回りやローラ８６ｅやレール部８０ｂの耐久性の低下を防止している。
【０１１２】
なお、グリル４では、適切な接触面積を得るために、ローラ８６ｅ及びレール部８０ｂを上記のような形状としているが、その形状は上記の形状に限定されるものではなく、相互に線接触できる形状であればどのような形状であってもよい。ローラ８６ｅの素材等を変更することにより、ローラ８６ｅとレール部８０ｂとの摩擦を調整できる場合には、必ずしも相互に線接触させなくてもよい。
【０１１３】
ところで、上記のように引き込み機構８６を上方側に設けた場合、引き込み機構８６を介して、移動メンバー８４の上方側の部分と固定メンバー８０の上方側の部分との間に、相互に離れる方向の力が加わってしまうおそれがある。
【０１１４】
そこで、図１５Ａに示すように、引き込み機構８６では、ローラ８６ｅを鼓状とすることによって、ローラ８６ｅから固定メンバー８０に対して、移動メンバー８４に近づく方向の力を加え、離れる方向の力を低減している。
【０１１５】
なお、ローラ８６ｅの形状は、鼓状に限定されるものではなく、例えば、図１５Ｂに示す第１の変形例に係る引き込み機構８６３のローラ８６３ｅのように、外周面を移動メンバー８４側に向かって縮径するような形状としてもよい。このように構成した場合であっても、移動メンバー８４が固定メンバー８０から離れる方向の力を低減することができる。
【０１１６】
また、図１５Ｃに示す第２の変形例に係る引き込み機構８６４のように、延設部８６４ａを屈曲させて、第２軸部８６ｄを固定メンバー８０側ほど下方側に向かって傾斜させてもよい。このように構成した場合であっても、移動メンバー８４が固定メンバー８０から離れる方向の力を低減することができる。
【０１１７】
また、図１５Ｄに示す第３の変形例に係る引き込み機構８６５のように、延設部８６５ａを屈曲させて、第２軸部８６ｄを固定メンバー８０側ほど下方側に向かって傾斜させた場合には、ローラ８６５ｅの形状を平坦な筒状としてもよい。
【０１１８】
なお、本実施形態に係る引き込み機構８６、第１の変形例に係る引き込み機構８６３、第２の変形例に係る引き込み機構８６４及び第３の変形例に係る引き込み機構８６５においても、レール部８０ｂの形状は、図示の形状に限定されるものではなく、背面視で、固定メンバーがローラによって移動メンバー側に押し付けられるように傾斜した円弧形状であればよい。
【符号の説明】
【０１１９】
１…コンロ本体、１ａ…側壁、２…天板、３…コンロバーナ、４…グリル、４ａ…グリル庫（加熱庫）、４ａ１…遮熱カバー、４ａ２…第１凹入部、４ａ３…窓部、４ｂ…排気ダクト、４ｃ…グリル皿、４ｃ１…第１フランジ、４ｃ２…第２フランジ、４ｄ…焼き網、４ｄ１…脚片部、４ｅ…皿支持枠（載置部）、４ｅ１…枠体、４ｅ２…前支持板、４ｅ３…後支持板、４ｅ４…爪片、４ｆ…上火バーナ、４ｆ１…第１混合管、４ｇ…下火バーナ、４ｇ１…第２混合管、４ｈ…遮熱板、４ｈ１…取付板、４ｉ…支持部、４ｊ…筐体、４ｊ１…側壁、５…グリル扉、５ａ…取手、５ｂ…扉側係合孔、５ｃ…板バネ部材、５ｄ…ビス、５ｅ…抜止部、６…前面パネル、７…操作盤、７ａ…前板、８…スライドレール、９…レール連結枠、９ａ…爪部、９ｂ…凹欠部、９ｃ…逃げ孔、９ｄ…枠側係合孔、８０…固定メンバー、８０ａ…係止爪、８０ｂ…レール部、８１…第１ボール、８２…中間メンバー、８３…第２ボール、８４…移動メンバー、８４ａ…固定部、８５…カバー部材、８５ａ…上板部、８５ｂ…側板部、８６，８６１，８６２，８６３，８６４，８６５…引き込み機構、８６ａ，８６４ａ，８６５ａ…延設部、８６ｂ，８６１ｂ，８６２ｂ…第１軸部、８６ｃ，８６１ｃ，８６２ｃ…アーム部、８６ｄ…第２軸部、８６ｄ１…軸、８６ｄ２…ヘッド、８６ｅ，８６３ｅ，８６５ｅ…ローラ、８６ｅ１…中央部、８６ｅ２…周面部、８６ｆ，８６１ｆ，８６２ｆ…コイルバネ（付勢部材）、８６ｇ…第１係止部、８６ｈ…第２係止部、Ｓ…コンロ。
【図１】
0006745650.tif 000002
【図２】
0006745650.tif 000003
【図３】
0006745650.tif 000004
【図４】
0006745650.tif 000005
【図５】
0006745650.tif 000006
【図６】
0006745650.tif 000007
【図７】
0006745650.tif 000008
【図８】
0006745650.tif 000009
【図９】
0006745650.tif 000010
【図１０】
0006745650.tif 000011
【図１１】
0006745650.tif 000012
【図１２】
0006745650.tif 000013
【図１３】
0006745650.tif 000014
【図１４】
0006745650.tif 000015
【図１５】
0006745650.tif 000016